(57)【要約】      （修正有）【課題】ユーザインタフェースを提供するためのネットワーク装置、情報提示システム、情報提示方法およびプログラムを提供する。【解決手段】ネットワーク装置は、ユーザ端末から、該ユーザ端末のユーザの特性に関するユーザ情報を受信する受信手段２２２と、受信手段２２２によりユーザ情報が受信されたことに応じて、情報処理装置のユーザインタフェースにかかる設定に対し、ユーザの特性に適合した設定内容を反映する設定反映手段２２４と、設定反映手段２２４により反映された設定内容２２６に基づいて、ユーザインタフェースを提供する提供手段２２８とを含む。【選択図】図３
2016130878.tif 000002
【特許請求の範囲】
【請求項１】
ユーザ端末と通信可能な情報処理装置であって、
前記ユーザ端末から、該ユーザ端末のユーザの特性に関するユーザ情報を受信する受信手段と、
前記受信手段によりユーザ情報が受信されたことに応じて、当該情報処理装置のユーザインタフェースにかかる設定に対し、前記ユーザの特性に適合した設定内容を反映する設定反映手段と、
前記設定反映手段により反映された設定内容に基づいて、ユーザインタフェースを提供する提供手段と
を含む、情報処理装置。
【請求項２】
前記情報処理装置は、前記ユーザ端末の接近を検知する検知手段をさらに含み、
前記受信手段は、前記検知手段により前記ユーザ端末の接近が検知されたことに応じて、前記ユーザ端末から前記ユーザ情報を読み取る、請求項１に記載の情報処理装置。
【請求項３】
前記ユーザインタフェースは、画面表示を含み、前記設定内容に応じた画面表示に基づいて表示中の画面に関する関連情報を前記ユーザ端末が備える出力装置から出力させるための情報を、前記ユーザ端末に対し送信する送信手段
をさらに含む、請求項１または２に記載の情報処理装置。
【請求項４】
前記送信手段は、前記設定内容に応じて表示する画面の切り替えに応じて、切り替えて表示する画面を識別する画面識別情報を送信し、前記ユーザ端末は、受信した前記画面識別情報に基づいて、前記ユーザ端末が備える出力装置から前記関連情報を出力する、請求項３に記載の情報処理装置。
【請求項５】
前記ユーザ情報は、ユーザのアクセシビリティに関連する特性を含む、請求項１〜４のいずれか１項に記載の情報処理装置。
【請求項６】
前記ユーザ端末は、ウェアラブルデバイスであることを特徴とする、請求項１〜５のいずれか１項に記載の情報処理装置。
【請求項７】
ユーザ端末と、請求項１〜６のいずれか１項に記載の情報処理装置とを含む情報処理システムであって、前記ユーザ端末は、
当該ユーザ端末に紐付けられたユーザの特性に関するユーザ情報を記憶する記憶手段と、
前記情報処理装置に対し、前記記憶手段に記憶されるユーザ情報を送信する送信手段と
を含む、情報処理システム。
【請求項８】
情報処理装置が実行する設定方法であって、情報処理装置が、
ユーザ端末から、該ユーザ端末のユーザの特性に関するユーザ情報を受信するステップと、
前記受信するステップでユーザ情報が受信されたことに応じて、当該情報処理装置のユーザインタフェースにかかる設定に対し、前記ユーザの特性に適合した設定内容を反映するステップと、
前記反映するステップで反映された設定内容に基づいて、ユーザインタフェースを提供するステップと
を含む、設定方法。
【請求項９】
情報処理装置と通信するユーザ端末を実現するためのプログラムであって、コンピュータを、
ユーザ端末のユーザの特性に関するユーザ情報を記憶する記憶手段、および
前記情報処理装置に対し、当該情報処理装置のユーザインタフェースにかかる設定に前記ユーザの特性に適合した設定内容を反映させるため前記記憶手段に記憶されるユーザ情報を送信する送信手段、
として機能させるためのプログラム。
【請求項１０】
前記ユーザインタフェースは、画面表示を含み、
前記情報処理装置から、該情報処理装置が現在表示中の画面に関する関連情報に関する情報を受信する受信手段、および
前記情報処理装置から受信した情報に基づいて、表示中の画面に関する関連情報を出力装置から出力させる出力手段
としてさらに機能させるための請求項９に記載のプログラム。
【発明の詳細な説明】
【技術分野】
【０００１】
本発明は、ユーザインタフェース技術に関し、より詳細には、ユーザインタフェースを提供するための情報処理装置、情報処理システム、設定方法およびプログラムに関する。
【背景技術】
【０００２】
従来、複合機などの情報処理装置において、設定を変更することにより、使用言語や色覚タイプなどの個人の特性に対応したユーザインタフェースを提供することができるものが普及している。
【０００３】
しかしながら、従来技術では、当初に、設定画面を立ち上げ、自身に適切な設定に変更する必要があった。そのため、例えば外国人が初めて触れる複合機に対し言語設定などの最低限の設定に行う際に、どのように設定できるのかを調べる必要があり、手間となっていた。また、情報処理装置に不慣れなユーザであったり、障害により設定を自分で行うことが困難なユーザの場合は、第三者のサポートが必要となる。
【０００４】
ユーザの利便性に関して、例えば、特開２０１３−０８９０１７号公報（特許文献１）が知られている。特許文献１の従来技術は、情報処理端末と画像形成装置を連携させて、表示頻度に応じて表示する操作手順情報を変えることにより、ユーザの利便性を向上させる技術を開示する。
【０００５】
上記特許文献１の従来技術では、ユーザビリティを向上させるという目的で、ユーザごとの表示頻度に応じて表示する操作手順情報を変えるように工夫されている。しかしながら、当初に、設定画面を立ち上げ、自身に適切な設定に変更する必要がある点では充分なものではなかった。
【０００６】
特に、複数の情報処理装置が存在する場合、情報処理装置それぞれに対して個別に設定する必要あり、多大な手間となる。さらに、複数のユーザで共有される共有デバイスとして利用される情報処理装置の場合、種々の特性を有する複数のユーザが利用することになるため、そのたびに切り替えることも煩雑である。
【０００７】
すなわち、複合機などの情報処理装置に対し、ユーザの特性に関する情報を入力する手間を省きながら、情報処理装置のユーザインタフェースにかかる設定をユーザの特性に応じたものに変更することができる技術の開発が望まれていた。
【発明の概要】
【発明が解決しようとする課題】
【０００８】
本発明は、上記の点に鑑みてなされたものであり、本発明は、ユーザが情報処理装置で設定を行う手間を省きながら、情報処理装置側でユーザの特性から自動的にユーザインタフェースにかかる適切な設定を行うことで、ユーザビリティを向上させることができる、情報処理装置を提供することを目的とする。
【課題を解決するための手段】
【０００９】
本発明では、上記課題を解決するために、下記特徴を有する情報処理装置を提供する。本情報処理装置は、ユーザ端末から、該ユーザ端末のユーザの特性に関するユーザ情報を受信する受信手段と、上記受信手段によりユーザ情報が受信されたことに応じて、当該情報処理装置のユーザインタフェースにかかる設定に対し、上記ユーザの特性に適合した設定内容を反映する設定反映手段と、上記設定反映手段により反映された設定内容に基づいて、ユーザインタフェースを提供する提供手段とを含む。
【発明の効果】
【００１０】
上記構成により、ユーザが情報処理装置で設定を行う手間を省きながら、情報処理装置側でユーザの特性から自動的にユーザインタフェースにかかる適切な設定を行うことで、ユーザビリティを向上させることができる。
【図面の簡単な説明】
【００１１】
【図１】本実施形態による画像処理システムの概要図。
【図２】本実施形態による画像処理システムを構成する複合機およびウェアラブルデバイスのハードウェア構成図。
【図３】本実施形態による画像処理システムの機能ブロック図。
【図４】本実施形態によるウェアラブルデバイスが実行する制御フローを示すフローチャート。
【図５】本実施形態による複合機が実行する制御フローを示すフローチャート。
【図６】（Ａ）本実施形態によるウェアラブルデバイスのユーザ情報記憶部に記憶されるユーザ情報、（Ｂ）本実施形態において操作画面を管理するための画面管理テーブルおよび（Ｃ）本実施形態において補助情報を管理するための補助情報管理テーブルのデータ構造を例示する図。
【図７】本実施形態においてウェアラブルデバイスに表示される（Ａ）設定変更表示画面および（Ｂ）補助情報表示画面を例示する図。
【発明を実施するための形態】
【００１２】
以下、本実施形態について説明するが、以下に説明する実施形態に限定されるものではない。なお、以下に説明する実施形態では、情報処理装置およびユーザ端末を含む情報処理システムとして、複合機１２０およびウェアラブルデバイス１５０を含み構成される画像処理システム１００を一例として説明する。
【００１３】
図１は、本実施形態による画像処理システム１００の概要を説明する図である。図１に示すように、画像処理システム１００は、複合機１２０を含み構成される。複合機１２０は、ユーザに対し、プリント、コピー、スキャナ、ファクシミリなどの各種画像サービスを提供する情報処理装置である。なお、これらの画像サービスの機能は、複合機１２０へのログイン状態、ログインしているユーザのアクセス権限に応じて制限することが好ましい。
【００１４】
説明する実施形態では、図１に示すように、画像処理システム１００には、さらに、複合機１２０と通信可能なウェアラブルデバイス１５０が含まれる。ウェアラブルデバイス１５０は、典型的には、スマートグラス（ヘッドマウントディスプレイ方式のウエアラブルコンピュータ）、スマートウォッチ（ディスプレイを搭載した腕時計型のウエアラブルコンピュータ）などのウェアラブルデバイスであり、ユーザが装着するユーザ端末である。
【００１５】
複合機１２０およびウェアラブルデバイス１５０は、近距離無線通信により相互に通信可能に構成されている。近距離無線通信としては、一例では、ＩＥＥＥ８０２．１５．１に規格化されているＢｌｕｅｔｏｏｔｈ（登録商標）を挙げることができる。Ｂｌｕｅｔｏｏｔｈ（登録商標）を用いる特定の実施形態では、近距離無線通信の通信距離は、典型的には、数ｍ〜数十ｍである。なお、複合機１２０およびウェアラブルデバイス１５０との通信手段は、Ｂｌｕｅｔｏｏｔｈ（登録商標）といった特定の規格に限定されるものではなく、また、近距離通信に限定されるものではなく、赤外線通信など他の通信手段、通信規格でも本発明は適用可能である。説明する実施形態において、複合機１２０およびウェアラブルデバイス１５０は、それぞれ、近距離無線通信を行うためのモジュールを備えており、事前に、互いに接続設定（ペアリングとも参照される。）が行われているものとする。
【００１６】
複合機１２０などでは、言語や色覚タイプなどのユーザのアクセシビリティに関連する特性などに対応したユーザインタフェースを提供する機能を備える。例えば、各言語毎のユーザインタフェースが準備されていたり、色覚タイプに応じて適切なカラーデザインを有するユーザインタフェースが準備されていたりする。
【００１７】
しかしながら、設定画面を立ち上げ、自身に適切な設定に変更する必要があると煩雑である。特に、複数の情報処理装置が存在する場合、情報処理装置それぞれに対して個別に設定する必要あるとすると、多大な手間となる。さらに、複合機などは、多数のユーザで共有されていることが多いが、種々の特性を有し得るユーザ各々が自らの使用前に言語やカラーデザインなどを自身の特性に応じたものに手動で設定する必要があるとさらに煩雑となる。したがって、ユーザが装置に対し、ユーザインタフェースにかかる設定をする手間をできる限り省くことが望ましい。
【００１８】
そこで、本実施形態による画像処理システム１００では、ウェアラブルデバイス１５０は、ユーザが事前に登録した自身の特性に関するユーザ情報を記憶しており、複合機１２０に対し、自身の接近を通知する機能を有する。ウェアラブルデバイス１５０は、近距離無線通信が確立した段階で、複合機１２０に対しユーザ情報を送信する。これに対応して、複合機１２０は、自身に接近したウェアラブルデバイス１５０を検知し、ウェアラブルデバイス１５０からユーザ情報を受信する。複合機１２０は、ユーザ情報が受信されたことに応じて、当該複合機１２０のユーザインタフェースにかかる設定に対し、ユーザの特性に適合した設定内容を反映する。そして、反映された設定内容に基づいて、ユーザインタフェースを提供する。
【００１９】
上記構成を採用することにより、複合機１２０に対しユーザが設定を行う手間を省きながら、複合機側でユーザの特性から自動的にユーザインタフェースにかかる適切な設定を行うことで、ユーザビリティの向上を図る。
【００２０】
以下、図２〜図７を参照しながら、本実施形態による画像処理システム１００について、より詳細に説明する。図２は、本実施形態による画像処理システム１００を構成する、複合機１２０およびウェアラブルデバイス１５０のハードウェア構成を示す図である。
【００２１】
まず、図２を参照しながら、複合機１２０のハードウェア構成を説明する。複合機１２０は、コントローラボード１２２を含み、コントローラボード１２２上には、図２に示すように、ＣＰＵ（Central Processing Unit）１２４、メモリ１２６、補助記憶装置１２８、入力インタフェース（以下、Ｉ／Ｆと参照する。）１３０、近距離無線通信装置１３２、ネットワークＩ／Ｆ１３４、印刷出力Ｉ／Ｆ１３６およびパネルＩ／Ｆ１３８を備え、これらはバスを介して相互に接続される。
【００２２】
ＣＰＵ１２４は、シングルコアまたはマルチコアのプロセッサである。メモリ１２６は、ＳＤＲＡＭ（Synchronous Dynamic Random Access Memory）などの記憶装置である。補助記憶装置１２８は、ＨＤＤ（Hard Disk Drive）やＳＳＤ（Solid State Drive）などの記憶装置である。近距離無線通信装置１３２は、上述したＢｌｕｅｔｏｏｔｈ（登録商標）などの近距離無線通信を行うモジュールであり、複合機１２０をウェアラブルデバイス１５０に接続する。近距離無線通信装置１３２は、説明する実施形態では、ウェアラブルデバイス１５０と通信可能となったことを検知し、その接近を検知する検知手段としても機能する。ネットワークＩ／Ｆ１３４は、イーサネット（登録商標）などのＮＩＣ（Network Interface Card）であり、複合機１２０をローカルエリアネットワークなどに接続する。
【００２３】
入力Ｉ／Ｆ１３０は、複合機１２０が備えるスキャナエンジンなどの画像入力装置１４０と接続されており、画像入力装置１４０からの読取画像の入力を受ける。印刷出力Ｉ／Ｆ１３６は、複合機１２０が備えるプリントエンジンなどの印刷出力装置１４２と接続されており、プリントジョブやコピージョブなどの各種ジョブの印刷出力を印刷出力装置１４２に対して行わせる。
【００２４】
パネルＩ／Ｆ１３８は、複合機１２０が備える操作パネル１４４を構成する表示装置および入力装置と接続されており、オペレータからの各種操作を受け付けるとともに、実行結果を表示する。操作パネル１４４は、説明する実施形態では、さらに、ユーザの特性に応じたグラフィカルユーザインタフェースの表示出力を行うことができる。
【００２５】
本実施形態による複合機１２０は、補助記憶装置１２８からプログラムを読み出し、メモリ１２６が提供する作業空間に展開する。これにより、ＣＰＵ１２４の制御の下、後述する各機能部および各処理を実現する。
【００２６】
引き続き、図２を参照しながら、ウェアラブルデバイス１５０のハードウェア構成を説明する。ウェアラブルデバイス１５０は、図２に示すように、ＣＰＵ１５２、メモリ１５４、補助記憶装置１５６、近距離無線通信装置１５８、入力装置１６０、表示装置１６２およびインタフェース装置１６４を備え、これらはバスを介して相互に接続される。
【００２７】
ＣＰＵ１５２は、シングルコアまたはマルチコアのモバイルプロセッサである。メモリ１５４は、ＳＤＲＡＭなどの記憶装置である。補助記憶装置１５６は、フラッシュメモリなどの記憶装置である。近距離無線通信装置１５８は、上述した近距離無線通信を行うモジュールであり、ウェアラブルデバイス１５０を複合機１２０の近距離無線通信装置１３２に接続する。インタフェース装置１６４は、３ＧやＬＴＥなどのモバイルデータ通信網およびローカルエリアネットワークなどにウェアラブルデバイス１５０を接続する。
【００２８】
入力装置１６０は、操作ボタン、音声が入力されるマイクロフォンなどの装置であり、ユーザからの各種指示を受け付ける。説明する実施形態では、入力装置１６０は、さらに、操作ボタンやマイクロフォンを介して、ユーザからの言語や色覚タイプなどのアクセシビリティに関する特性の入力を受け付ける。表示装置１６２は、ウェアラブルデバイス１５０のヘッドマウントディスプレイである。表示装置１６２は、説明する実施形態では、さらに、複合機１２０から通知される複合機１２０に現在表示中の画面に関する関連情報を表示出力することができる。
【００２９】
本実施形態によるウェアラブルデバイス１５０は、補助記憶装置１５６からプログラムを読み出し、メモリ１５４が提供する作業空間に展開する。これにより、ＣＰＵ１５２の制御の下、後述する各機能部および各処理を実現する。
【００３０】
なお、本実施形態による複合機１２０およびウェアラブルデバイス１５０上で後述する機能および処理を実現するためのプログラムは、それぞれ、例えば複合機１２０やウェアラブルデバイス１５０の補助記憶装置１２８，１５６に予め格納されている。あるいは、プログラムは、記録媒体やネットワークを介して、複合機１２０やウェアラブルデバイス１５０の補助記憶装置１２８，１５６に保存され、インストールされる。また、説明する実施形態では、複合機１２０とウェアラブルデバイス１５０とは、アドホックに直接通信を行うものとして説明する。しかしながら、複合機１２０とウェアラブルデバイス１５０との間にアクセスポイントが設けられ、アクセスポイントを介したインフラストラクチャモードで通信が実施されることを妨げるものではない。
【００３１】
以下、図３を参照しながら、本実施形態による画像処理システム１００の機能構成について説明する。図３は、本実施形態による画像処理システム１００の機能ブロック２００を説明する図である。なお、図３には、画像処理システム１００を構成する、複合機１２０およびウェアラブルデバイス１５０それぞれの機能ブロック２２０および機能ブロック２５０が示されている点に留意されたい。
【００３２】
複合機１２０の機能ブロック２２０としては、図３に示す実施形態では、ユーザ情報受信部２２２と、ユーザ適合設定反映部２２４と、設定データ２２６と、画面管理部２２８と、表示中画面情報送信部２３０とが含まれる。
【００３３】
ユーザ情報受信部２２２は、近距離無線通信により、ユーザ端末であるウェアラブルデバイス１５０から、ウェアラブルデバイス１５０を付帯するユーザの特性に関するユーザ情報を受信する。ユーザ情報受信部２２２は、上述した近距離無線通信装置１３２の受信機能により提供される。近距離無線通信装置１３２がウェアラブルデバイス１５０の接近を検知したことに応じて、ユーザ情報受信部２２２により、ウェアラブルデバイス１５０からユーザ情報が読み取られる。ユーザ情報受信部２２２は、本実施形態における受信手段を構成する。
【００３４】
ユーザ情報は、特に限定されるものではないが、ユーザが使用する言語、ユーザの色覚タイプ、ユーザの文字拡大サポートの要否、音声サポートの要否といった、ユーザのアクセシビリティに関連する種々の特性に関する情報を含むことができる。
【００３５】
ユーザ適合設定反映部２２４は、ユーザ情報が受信されたことに応じて、当該複合機１２０のユーザインタフェースにかかる設定に対し、ウェアラブルデバイス１５０のユーザの特性に適合した設定内容を反映する。ユーザインタフェースにかかる設定としては、使用言語、カラーデザイン、文字拡大率、音声サポートの有無などの設定事項を含むことができる。ユーザ適合設定反映部２２４は、本実施形態における設定反映手段を構成する。設定内容が反映されると、ユーザ情報受信部２２２により、ユーザ情報の送信元のウェアラブルデバイス１５０に対し、設定内容が変更された旨の応答が行われる。
【００３６】
設定データ２２６は、ユーザインタフェースにかかる設定の設定内容を保持する。ユーザ適合設定反映部２２４により、使用言語、カラーデザイン、文字拡大率、音声サポートの有無などの設定事項の設定内容が設定データ２２６に設定される。
【００３７】
画面管理部２２８は、設定データ２２６の設定内容に基づいて、画面表示を行うことでユーザインタフェースの提供を行うとともに、表示する画面および画面遷移を管理する。例えば、使用言語が英語に設定されている場合には、英語で記載されたメッセージや選択肢を含む操作画面が操作パネル１４４上に表示される。例えば、カラーデザインが色覚タイプ「Ｐ型」に設定されている場合、赤と緑の色相差が認識できにくいというＰ型の特性を配慮したカラーユニバーサルデザインに対応した操作画面が操作パネル１４４上に表示される。画面管理部２２８は、本実施形態における提供手段を構成する。
【００３８】
表示中画面情報送信部２３０は、画面管理部２２８の管理の下、画面の切り替えに応じて、複合機１２０の操作パネル１４４に表示する画面を識別する情報（以下、表示中画面情報と参照する。）をウェアラブルデバイス１５０にリアルタイムに送信する。表示中画面情報は、設定内容に応じた画面表示に基づいて表示中の画面に関する関連情報をウェアラブルデバイス１５０の表示装置１６２からリアルタイムに出力させるための情報である。関連情報は、好適には画面の表示内容を補足する補助情報である。表示中画面情報送信部２３０は、上述した近距離無線通信装置１３２の送信機能により提供される。表示中画面情報送信部２３０は、本実施形態における情報処理装置の送信手段を構成する。
【００３９】
以下、図３を参照しながら、ウェアラブルデバイス１５０の機能構成について説明を続ける。図３に示すウェアラブルデバイス１５０の機能ブロック２５０としては、ユーザ情報記憶部２５２と、ユーザ情報送信部２５４と、設定変更表示部２５６と、表示中画面情報受信部２５８と、補助情報取得部２６０と、補助情報表示部２６２とが含まれる。
【００４０】
ユーザ情報記憶部２５２は、当該ウェアラブルデバイス１５０に対しユーザが事前に登録したユーザ情報を記憶する、本実施形態における記憶手段を構成する。ユーザ情報は、上述したようにウェアラブルデバイス１５０を付帯するユーザのアクセシビリティに関する特性の情報を含む。
【００４１】
ユーザ情報送信部２５４は、複合機１２０との近距離無線通信が確立されたことに応じて、近距離無線通信により、複合機１２０に対し、上記ユーザ情報記憶部２５２に記憶されるユーザ情報を送信する。このユーザ情報の送信は、複合機１２０のユーザインタフェースにかかる設定に対しユーザの特性に適合した設定内容を反映させるために行われる。ユーザ情報送信部２５４は、上述した近距離無線通信装置１５８の送信機能により提供される。ユーザ情報送信部２５４は、本実施形態におけるユーザ端末の送信手段を構成する。
【００４２】
設定変更表示部２５６は、複合機１２０から、ユーザ情報を送信したことに対する応答を受信し、所定の設定内容に変更された旨のユーザに対する表示を行う。例えば、ユーザの使用言語が「英語」であり、色覚タイプが「Ｐ型」である場合には、使用言語が「英語」に変更され、カラーデザインが色覚タイプ「Ｐ型」に適合するものに変更された旨の通知が英語で行われる。
【００４３】
表示中画面情報受信部２５８は、複合機１２０から送信される表示中画面情報を受信する。表示中画面情報は、現在表示中の画面に関する関連情報を表示するための情報であり、複合機１２０で表示している画面が切り替わったことに応じて送信される。表示中画面情報受信部２５８は、上述した近距離無線通信装置１５８の受信機能により提供される。表示中画面情報受信部２５８は、本実施形態におけるユーザ端末の受信手段を構成する。
【００４４】
補助情報取得部２６０は、複合機１２０から通知された表示中画面情報に基づいて、表示中の画面に対する関連情報として補助情報を取得する。なお、説明する実施形態では、説明の便宜上、ウェアラブルデバイス１５０が補助情報のデータベースを備え、表示中画面情報から、それに紐付けられた補助情報が取得されるものとして説明する。しかしながら、複合機１２０から補助情報自体のデータとして送信されてもよい。あるいは、補助情報は、複合機１２０から補助情報を特定するＩＤとして通知され、または、複合機１２０から取得先ＵＲＬの形で送信されて、ウェアラブルデバイス１５０がＩＤまたはＵＲＬに基づいて補助情報を取得してもよい。なお、複合機１２０などの情報処理装置やウェアラブルデバイス１５０などのユーザ端末で特定する識別情報として、以下、ＩＤやＵＲＬを例として用いて説明する。
【００４５】
複合機１２０から補助情報自体のデータが送信される場合は、近距離無線通信を介して、そのデータを受信することにより補助情報を取得することができる。複合機１２０からＩＤが送信される場合は、そのＩＤを用いて、外部のデータベースに問い合わせて補助情報を受信することにより取得することができる。複合機１２０から取得先ＵＲＬが送信される場合は、そのＵＲＬを用いて、外部のデータベースやインターネット上の他のリソースから補助情報を受信することにより取得することができる。なお、補助情報の受信は、近距離無線通信に限定されず、通常の無線ＬＡＮ、モバイルデータ通信網などを介して行うことを妨げるものではない。
【００４６】
補助情報表示部２６２は、受信した表示中画面情報に基づいて取得された補助情報を、ウェアラブルデバイス１５０が備える表示装置１６２から表示出力させる。なお、説明する実施形態では、表示装置１６２に補助情報を表示するものとして説明するが、スピーカやヘッドホンから音声情報として出力することを妨げるものではない。補助情報表示部２６２は、本実施形態における出力手段を構成する。
【００４７】
以下、図４、図６（Ａ）、図６（Ｃ）および図７を参照しながら、本実施形態によるウェアラブルデバイス１５０側で実行される制御フローを説明する。図４は、本実施形態によるウェアラブルデバイス１５０が実行する制御フローを示すフローチャートである。
【００４８】
図６（Ａ）は、本実施形態によるウェアラブルデバイス１５０のユーザ情報記憶部２５２に記憶されるユーザ情報のデータ構造を例示する図である。図６（Ｃ）は、本実施形態において補助情報を管理するための補助情報管理テーブルのデータ構造を例示する図である。図７は、本実施形態においてウェアラブルデバイス１５０に表示される画面を例示する図である。
【００４９】
図４に示す制御は、ウェアラブルデバイス１５０上で、自動設定にかかるプログラムが起動したことに応じて、ステップＳ１００から開始される。ステップＳ１０１では、ウェアラブルデバイス１５０は、ユーザ情報記憶部２５２から、ユーザの特性を含むユーザ情報の読み出しを試みる。ユーザの特性情報は、図６（Ａ）に示すように、使用する言語および色覚タイプなどの情報を含む。ユーザの特性情報は、例えば、ユーザが、キーボードや音声入力により予め入力操作を行うことにより選択され、複合機１２０およびウェアラブルデバイス１５０間で予め取り決められた共通の値が用いられるとする。なお、説明においては、便宜上、ユーザは、英語が母国語であり、色覚タイプがＣタイプ（一般色覚）以外のＰタイプである場合を一例として説明する。
【００５０】
ステップＳ１０２では、ウェアラブルデバイス１５０は、ユーザ情報の登録が有るか否かを判定する。ステップＳ１０２で、ユーザ情報の登録がなされていないと判定された場合（ＮＯ）は、ステップＳ１１１へ処理を分岐させて、本処理を終了する。この場合、ユーザが事前登録操作を行った後に、プログラムが起動されて、ステップＳ１００から再度制御が開始されることになる。これに対し、ステップＳ１０２で、ユーザ情報の登録がされていると判定された場合（ＹＥＳ）は、ステップＳ１０３へ処理が分岐される。
【００５１】
ステップＳ１０３では、本プログラムが終了するか否かに応じて、処理を分岐させる。ユーザやシステムからのプログラムの終了の指示があり、プログラムが終了すると判定された場合（ＹＥＳ）は、ステップＳ１１１へ処理を分岐させて、本処理を終了する。これに対して、ステップＳ１０３で、未だプログラムが終了しないと判定された場合（ＮＯ）は、ステップＳ１０４へ処理が進められる。
【００５２】
ステップＳ１０４では、ウェアラブルデバイス１５０は、複合機１２０との近距離無線通信が確立するまでの間（ＮＯの間）、ステップＳ１０３をループさせ、通信の確立を待ち受ける。ウェアラブルデバイス１５０が複合機１２０との通信可能な距離まで近づくことにより、ステップＳ１０４で、複合機１２０との通信が確立したと判定された場合（ＹＥＳ）は、ステップＳ１０５へ処理が進められる。
【００５３】
ステップＳ１０５では、ウェアラブルデバイス１５０は、ユーザ情報送信部２５４により、通信を確立させた相手方の複合機１２０に対し、ユーザ情報を送信する。ステップＳ１０５に応じて、図６（Ａ）に示したユーザ情報に応じたユーザインタフェースの設定が反映されると、例えば図７（Ａ）に示すような、使用言語が「英語」に変更され、カラーデザインがカラーユニバーサルデザインに適合したものに変更された旨を英語で通知する設定変更表示画面が、ウェアラブルデバイス１５０の表示装置１６２上に表示される。以降、適切な設定が反映された操作パネル１４４上の画面に基づいて、ユーザにより、ログイン処理や画像サービスの利用などが行われる。
【００５４】
ステップＳ１０６では、本プログラムが終了するか否かに応じて、処理を分岐させる。プログラムが終了すると判定された場合（ＹＥＳ）は、ステップＳ１１１へ処理を分岐させて、本処理を終了する。これに対して、ステップＳ１０６で、未だプログラムが終了しないと判定された場合（ＮＯ）は、ステップＳ１０７へ処理が進められる。
【００５５】
ステップＳ１０７では、複合機１２０から表示中画面情報を受信したか否かを判定する。ステップＳ１０７で、複合機１２０から表示中画面情報を受信したと判定された場合（ＹＥＳ）は、ステップＳ１０８へ処理が進められる。複合機１２０に近接したユーザにより、ログイン処理や画像サービスの呼び出しなどの操作が複合機１２０に対して行われた場合は、その都度、表示中画面情報を受信することになる。ステップＳ１０８では、ウェアラブルデバイス１５０は、補助情報取得部２６０により、当該ウェアラブルデバイス１５０が保持するデータベースサーバから、表示中画面情報に紐付けられた表示中の画面に対応する補助情報のデータを取得する。
【００５６】
説明する実施形態では、ウェアラブルデバイス１５０は、図６（Ｃ）に示す補助情報管理テーブルを保持しており、表示中画面情報（図中、画面識別情報（ＩＤ）と参照される。）から、それに紐付けられた対応する言語の補助情報が取得される。
【００５７】
ステップＳ１０９では、ウェアラブルデバイス１５０は、補助情報表示部２６２により、取得した補助情報に基づき、ウェアラブルデバイス１５０の表示装置１６２に表示出力を行う。例えば図７（Ｂ）に示すような、使用言語での現在表示中の画面の説明やガイダンス、その他、分かり難いことが予想される専門用語や固有な用語の補足説明などの補助情報を含む補助情報表示画面が、ウェアラブルデバイス１５０の表示装置１６２上に表示される。
【００５８】
ステップＳ１０７で、複合機１２０から表示中画面情報を受信していないと判定された場合（ＮＯ）は、ステップＳ１１０へ処理が直接進められる。
【００５９】
ステップＳ１１０では、ウェアラブルデバイス１５０は、複合機１２０との近距離無線通信が切断されるまでの間（ＮＯの間）、ステップＳ１０６をループさせ、通信の切断を待機する。ウェアラブルデバイス１５０が、複合機１２０との通信可能な距離の範囲から外れることにより、ステップＳ１１０で、複合機１２０との通信が切断されたと判定された場合（ＹＥＳ）は、ステップＳ１０３へ処理がループさせられる。この場合は、ウェアラブルデバイス１５０は、複合機１２０との次の近距離無線通信確立を待ち受けることになる。
【００６０】
以下、図５および図６（Ｂ）を参照しながら、本実施形態による複合機１２０側で実行される制御フローを説明する。図５は、本実施形態による複合機１２０が実行する制御フローを示すフローチャートである。図６（Ｂ）は、本実施形態において操作画面を管理するための画面管理テーブルのデータ構造を例示する図である。
【００６１】
図５に示す制御は、複合機１２０が、ウェアラブルデバイス１５０と近距離無線通信を確立したことに応じて、ステップＳ２００から開始される。ステップＳ２０１では、複合機１２０は、通信の確立に引き続いて、ウェアラブルデバイス１５０により送信されたユーザ情報が有るか否かを判定する。ステップＳ２０１で、ユーザ情報が有ると判定された場合（ＹＥＳ）は、ステップＳ２０２へ処理が進められる。
【００６２】
ステップＳ２０２では、複合機１２０は、ユーザ情報受信部２２２により、ウェアラブルデバイス１５０から送信されたユーザ情報を受信し、メモリ１２６に記憶する。ステップＳ２０３では、複合機１２０は、ユーザ適合設定反映部２２４により、受信したユーザ情報に含まれるユーザの各特性情報に適合した設定（以下、ユーザ適合設定と参照する。）を読み出す。なお、複合機１２０は、各特性項目およびその値の組み合わせに対して、対応する設定項目および設定値を保持している。例えば、「言語：ＥＮ」の特性に対しては、「表示言語：英語」の設定が対応付けられている。また、「色覚タイプ：Ｐタイプ」の特性に対しては、「カラーユニバーサルデザイン：有効」の設定が対応付けられている。ステップＳ２０４では、複合機１２０は、ユーザ適合設定反映部２２４により、読み出したユーザ適合設定の内容を設定データ２２６に反映させる。
【００６３】
ステップＳ２０５では、複合機１２０は、ユーザが操作パネル１４４のタッチパネルやハードウェアキーなどを操作することによる画面の遷移を待ち受け、遷移が行われたか否かを判定する。ステップＳ２０５で、画面が遷移されていないと判定された場合（ＮＯ）は、ステップＳ２０７へ処理を直接分岐させる。ステップＳ２０５で、画面が遷移されたと判定された場合（ＹＥＳ）は、ステップＳ２０６へ処理を分岐させる。
【００６４】
ステップＳ２０６では、複合機１２０は、表示中画面情報送信部２３０により、画面管理部２２８の制御の下、遷移後に表示した操作画面を識別する表示中画面情報をウェアラブルデバイス１５０に対して送信する。図６（Ａ）に示す画面管理テーブルは、画面を識別する画面ＩＤと、画面の名称と、当該画面と画面が遷移する上での親子関係として対応づいている親画面を識別する親画面の画面ＩＤとを含む。このように、表示中の画面には、その画面を識別する固有の画面ＩＤが割り振られており、ステップＳ２０６で、現在表示中の画面を識別する画面ＩＤが表示中画面情報として送信される。この場合、ウェアラブルデバイス１５０側では、図４に示したステップＳ１０９で、表示中画面情報に紐付けられた補助情報の表示が行われることになる。
【００６５】
ステップＳ２０７では、複合機１２０は、ウェアラブルデバイス１５０との近距離無線通信が切断されるまでの間（ＮＯの間）、ステップＳ２０５をループさせ、通信の切断を待機する。その間に生じる画面の遷移に応じて、適時、表示中画面情報がリアルタイムにウェアラブルデバイス１５０に送信され、ウェアラブルデバイス１５０で複合機１２０側の画面遷移に応じた補助情報の更新がリアルタイムに行われる。ウェアラブルデバイス１５０が、複合機１２０との通信可能な距離の範囲から外れることにより、ステップＳ２０７で、ウェアラブルデバイス１５０との通信が切断されたと判定された場合（ＹＥＳ）は、ステップＳ２０８へ処理が進められる。ステップＳ２０１で、ユーザ情報がないと判定された場合（ＮＯ）も、ステップＳ２０８へ処理が進められる。ステップＳ２０８では、複合機１２０は、本処理を終了させる。本終了に伴い、メモリ１２６上のユーザ情報は、消去される。
【００６６】
以上説明したように、上述した本実施形態によれば、ユーザが情報処理装置で設定を行う手間を省きながら、情報処理装置側でユーザの特性から自動的にユーザインタフェースにかかる適切な設定を行うことで、ユーザビリティを向上させることができる、情報処理装置、情報処理システム、設定方法およびプログラムを提供することができる。
【００６７】
また、好適な実施形態では、複合機１２０から、画面の切り替えに応じて、現在表示中の画面に関する関連情報に関する情報が送信される。これに対応して、ウェアラブルデバイス１５０では、表示中の画面に対応した、個人の特性に適合した関連情報が出力される。これにより、ウェアラブルデバイス１５０の表示装置１６２を活用して、ユーザに対する画面のガイダンスや補足説明を表示することができ、ユーザビリティを向上させることができる。
【００６８】
なお、上述した実施形態では、情報処理装置として複合機１２０を一例に説明したが、情報処理装置は、ユーザに対して各種情報処理機能を提供することができる、複写機、プリンタ、ファクシミリなどの種々の画像処理装置を含むいかなる装置として構成することができ、ユーザインタフェースを備える、例えば、プロジェクタ、会議システム、電子黒板（ホワイトボード）など複合機以外の様々な情報処理装置に適用することができる。
【００６９】
なお、上記機能部は、アセンブラ、Ｃ、Ｃ＋＋、Ｃ＃、Ｊａｖａ（登録商標）などのレガシープログラミング言語やオブジェクト指向プログラミング言語などで記述されたコンピュータ実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤカード、ＭＯなど装置可読な記録媒体に格納して、あるいは電気通信回線を通じて頒布することができる。
【００７０】
これまで本発明の実施形態について説明してきたが、本発明の実施形態は上述した実施形態に限定されるものではなく、他の実施形態、追加、変更、削除など、当業者が想到することができる範囲内で変更することができ、いずれの態様においても本発明の作用効果を奏する限り、本発明の範囲に含まれるものである。
【符号の説明】
【００７１】
１００…画像処理システム、１２０…複合機、１２２…コントローラボード、１２４…ＣＰＵ、１２６…メモリ、１２８…補助記憶装置、１３０…入力Ｉ／Ｆ、１３２…近距離無線通信装置、１３４…ネットワークＩ／Ｆ、１３６…印刷出力Ｉ／Ｆ、１３８…パネルＩ／Ｆ、１４０…画像入力装置、１４２…印刷出力装置、１４４…操作パネル、１５０…ウェアラブルデバイス、１５２…ＣＰＵ、１５４…メモリ、１５６…補助記憶装置、１５８…近距離無線通信装置、１６０…入力装置、１６２…表示装置、１６４…インタフェース装置、２００，２２０，２５０…機能ブロック、２２２…ユーザ情報受信部、２２４…ユーザ適合設定反映部、２２６…設定データ、２２８…画面管理部、２３０…表示中画面情報送信部、２５２…ユーザ情報記憶部、２５４…ユーザ情報送信部、２５６…設定変更表示部、２５８…表示中画面情報受信部、２６０…補助情報取得部、２６２…補助情報表示部
【先行技術文献】
【特許文献】
【００７２】
【特許文献１】特開２０１３−０８９０１７号公報
【図１】
2016130878.tif 000003
【図２】
2016130878.tif 000004
【図３】
2016130878.tif 000005
【図４】
2016130878.tif 000006
【図５】
2016130878.tif 000007
【図６】
2016130878.tif 000008
【図７】
2016130878.tif 000009